(57)【要約】【課題】水栓器具に水，湯を供給するサプライ管のフランジ部を抜止部材で支持した状態でこれを水栓器具に固定することによりサプライ管を水栓器具に抜止状態に接続する場合において、サプライ管が水栓器具に対して回転運動してしまい、Ｏリング等のシール部材を摩耗させてシール性を低下させてしまう心配のないサプライ管の接続構造を提供する。【解決手段】一対のサプライ管１６を水栓器具に対して抜止状態に接続するようになした水栓器具へのサプライ管１６の接続構造において、一対のサプライ管１６のそれぞれのフランジ部４６に、その外周部の一部を切り欠いた形態のストレート面状の係合面５４を形成し、各係合面５４を合わせる状態に一対のサプライ管１６を配置して、それら係合面５４の係合作用で各サプライ管１６を回止めするようにする。【選択図】        図４
2005140245.tif 000002
【特許請求の範囲】
【請求項１】
水栓器具の一対の嵌入孔に水，湯をぞれぞれ供給する給水用，給湯用のサプライ管の各嵌入部を水密に嵌入させるとともに、それら一対のサプライ管のそれぞれに設けたフランジ部を前記嵌入部とは反対側で支持する抜止部材を該水栓器具に固定することによって、前記一対のサプライ管を該水栓器具に対して抜止状態に接続するようになした水栓器具へのサプライ管の接続構造において、
前記一対のサプライ管のそれぞれのフランジ部に、その外周部の一部を切り欠いた形態のストレート面状の係合面を形成し、各係合面を合わせる状態に一対のサプライ管を配置して、それら係合面の係合作用で各サプライ管を回止めするようになしたことを特徴とする水栓器具へのサプライ管の接続構造。
【発明の詳細な説明】
【技術分野】
【０００１】
この発明は水栓器具に対して水，湯をそれぞれ供給する給水用，給湯用のサプライ管の水栓器具への接続構造に関する。
【背景技術】
【０００２】
水栓器具に対して水，湯を供給する給水用，給湯用のサプライ管の接続構造として、従来図７に示すようなねじ結合による接続構造が用いられていた。
同図において２００は水栓器具、２０２は給水用又は給湯用のサプライ管で、上端部に雄ねじ部２０４と環状溝２０６とが設けてあり、その環状溝２０６にシール部材としてのＯリング２０８が装着されている。
【０００３】
この接続構造では、サプライ管２０２を水栓器具２００の嵌入孔２１０に嵌入し、雄ねじ部２０４を水栓器具２００に形成した雌ねじ部２１２にねじ込んで水栓器具２００に接続する。
【０００４】
この接続構造においては、雄ねじ部２０４若しくは雌ねじ部２１２に接着剤を塗った上でサプライ管２０２を水栓器具２００に対してねじ込接続する。
その接続状態ではＯリング２０８が嵌入孔２１０の内面に弾性接触して、サプライ管２０２と水栓器具２００との間を水密にシールする。
この種のねじ込式によるサプライ管の水栓器具への接続構造については、例えば下記特許文献１に開示されている。
【０００５】
しかしながらこのねじ込式による接続構造の場合、接着剤を雄ねじ部２０４又は雌ねじ部２１２に塗る作業が必要であるとともに、接続の際にサプライ管２０２全体を何回も回転操作しなければならず、接続作業が面倒である上に、一旦サプライ管２０２を水栓器具２００に接続してしまうと、組付け直しの必要が生じた場合等においてサプライ管２０２を水栓器具２００から取り外すことが難しいといった問題があった。
【０００６】
このようなことから、ねじ結合によらないでサプライ管を水栓器具に接続するための接続構造が従来種々提案されている。
例えば下記特許文献２には、水栓器具への配管接続構造の発明が示され、そこにおいて水栓器具の嵌入孔内にサプライ管の嵌入部を嵌入させ、その状態で抜止部材を水栓器具に固定してサプライ管を水栓器具から抜止めし、サプライ管と水栓器具とを接続するようになした点が開示されている。
【０００７】
ここで抜止部材には、サプライ管を挿通させ保持する保持孔及び水栓器具の内部に形成した掛止凹部に弾性的に掛止する掛止突部を設け、サプライ管に形成した径方向外向きのフランジ部を抜止部材により嵌入部とは反対側で支持しつつ、その抜止部材に設けた掛止突部を水栓器具の掛止凹部に掛止させて抜止部材自身を水栓器具に固定し、以ってサプライ管の水栓器具からの抜けを防止するようにしている。
【０００８】
また下記特許文献３にも、同じく保持部材（抜止部材）にてサプライ管のフランジ部を支持し且つその保持部材を水栓器具に固定状態とすることによって、サプライ管を水栓器具に対し抜止状態に接続するようになした点が開示されている。
【０００９】
ところでこれら特許文献２，３の従来のサプライ管の接続構造では、サプライ管が水栓器具への接続状態で回転可能な状態にあり、従って水栓器具の外部においてサプライ管に対して回転方向の力が加わると、サプライ管が水栓器具に対して回転してしまう。
【００１０】
水栓器具の設置状態においてサプライ管が回転すると、使用者に対して何らかの不具合があるのではないかと危惧を抱かせてしまい、また実際にサプライ管が水栓器具に対して回転してしまうと、サプライ管の嵌入部と嵌入孔とを水密にシールするＯリング等のシール部材が摩耗したりしてシール性が低下してしまう問題を生ずる。
【００１１】
【特許文献１】特許第３３６３３１０号公報
【特許文献２】実開平６−７３５５８号公報
【特許文献３】特開２０００−１９３１１８号公報
【発明の開示】
【発明が解決しようとする課題】
【００１２】
本発明はこのような事情を背景とし、抜止部材によってサプライ管のフランジ部を支持した状態で抜止部材を水栓器具に固定することにより、サプライ管を水栓器具に抜止状態に接続するようになした場合において、サプライ管が水栓器具に対して回転運動してしまい、Ｏリング等のシール部材を摩耗させてシール性を低下させてしまうといった心配のないサプライ管の接続構造を提供することを目的としてなされたものである。
【課題を解決するための手段】
【００１３】
而して請求項１のものは、水栓器具の一対の嵌入孔に水，湯をぞれぞれ供給する給水用，給湯用のサプライ管の各嵌入部を水密に嵌入させるとともに、それら一対のサプライ管のそれぞれに設けたフランジ部を前記嵌入部とは反対側で支持する抜止部材を該水栓器具に固定することによって、前記一対のサプライ管を該水栓器具に対して抜止状態に接続するようになした水栓器具へのサプライ管の接続構造において、前記一対のサプライ管のそれぞれのフランジ部に、その外周部の一部を切り欠いた形態のストレート面状の係合面を形成し、各係合面を合わせる状態に一対のサプライ管を配置して、それら係合面の係合作用で各サプライ管を回止めするようになしたことを特徴とする。
【発明の作用・効果】
【００１４】
以上のように本発明は給水用，給湯用の一対のサプライ管のそれぞれのフランジ部に、その外周部の一部を切り欠いた形態のストレート面状の係合面を形成し、各係合面を合わせる状態に一対のサプライ管を配置したもので、本発明のサプライ管の接続構造の場合、各フランジ部の係合面の係合作用によって、一方のサプライ管が回転しようとすると他方のサプライ管が回転防止し、また他方のサプライ管が回転しようとすると今一方のサプライ管が回転防止し、結果として一対のサプライ管の何れも回転不能な状態で水栓器具に接続状態に保持される。
【００１５】
かかる本発明によれば、水栓器具の設置状態において水栓器具から外部に延び出したサプライ管に対し、何らかの回転方向の力が働いた結果サプライ管が水栓器具に対して回転してしまうといったことがなく、従って使用者に対しサプライ管が回転することによって何らかの不具合が生じているのではないかといった危惧を抱かせる心配もない。
【００１６】
またサプライ管が回転することによってＯリング等のシール部材が摩耗し、これによってシール性が低下するといった問題も生じず、安定したシール機能を長期に亘って良好に保持することができる。
【００１７】
本発明の接続構造では、一対のサプライ管同士が互いの回転運動を阻止する回止め部材として働いていることから、サプライ管と水栓器具との間に回止め機構を設けることによってサプライ管の回転を防止する場合に較べて、水栓器具側に特別の回止め機構を設ける必要がなく、サプライ管の回止めのための構造が簡単で、組付けの際にもサプライ管を水栓器具に対し位置決め及び係合状態で組み付けるといったことを必要とせず、組付けの手間も簡単である利点が得られる。
【発明を実施するための最良の形態】
【００１８】
次に本発明の実施形態を図面に基づいて詳しく説明する。
図１〜図３において、１０はキッチンのカウンターで、１２は取付穴１４においてこのカウンター１０上に設置されたシングルレバー式の水栓器具（この例ではキッチン用の水栓器具）である。
１６はこの水栓器具１２に対して水，湯をそれぞれ供給する給水用，給湯用のサプライ管で、それぞれの上端部が水栓器具１２に水密に接続されている。
【００１９】
水栓器具１２は水栓本体１８を有しており、この水栓本体１８から吐水管２０が延び出している。
また水栓本体１８の上部には操作レバー２２が上下及び左右に回動可能に設けられている。
【００２０】
吐水管２０はその基端が水栓本体１８の一部を成す円筒部２３に固定されている。
円筒部２３は水栓本体１８におけるボデー２４に対し回転可能に嵌合されており、吐水管２０がこの円筒部２３と一体に回転可能とされている。
【００２１】
図３において、２６は水栓本体１８をカウンター１０に取付固定するための取付器具で、円筒状をなす台座金具２８と、リテーナ３０と、取付穴１４を挿通してそれらを連結するボルト３２とを含んでいる。
この取付器具２６は、ボルト３２の締込みによってカウンター１０の上面に着座状態に設置される台座金具２８と、カウンター１０の下面に配置されるリテーナ３０とがカウンター１０を上下両側から挟み付け、カウンター１０に固定状態となる。
【００２２】
水栓本体１８は、その下部を取付器具２６の台座金具２８に外嵌させた状態で、その下部を挿通して台座金具２８の雌ねじ孔３４にねじ込まれた止ビス３６により、かかる台座金具２８を介しカウンター１０に回止め状態で固定される。
尚、３８は止ビス３６を内側に隠蔽する化粧リングである。
【００２３】
図４〜図６にサプライ管１６の水栓器具１２、具体的には水栓本体１８への接続構造が具体的に示してある。
これらの図において水栓本体１８、詳しくはボデー２４には水，湯の通路４０と、それらに連通して嵌入孔４２が形成されている。
一方、一対のサプライ管１６のそれぞれの上端部には、嵌入部４４と、径方向外向き且つ略円形のフランジ部４６とが設けられており、その嵌入部４４が水栓本体１８の嵌入孔４２内に図中上向きに嵌入されている。
【００２４】
嵌入部４４には環状溝４８が設けられていて、そこにシール部材としてのＯリング５０が装着されており、このＯリング５０によって嵌入部４４と嵌入孔４２との間が水密にシールされている。
尚水栓本体１８には、図５にも示しているように座ぐり状の凹部５２が設けられており、そこにサプライ管１６のフランジ部４６が収容されている。
【００２５】
各フランジ部４６には、図４（Ｂ），図５に明らかに示しているようにその外周部を一部切り欠いた形態のストレート面状の係合面５４が形成されており、一対のサプライ管１６はそれら係合面５４を互いに係合させる状態で、後述の抜止部材５６により抜止状態に保持されている。
この結果、各サプライ管１６はそれぞれの軸心回りに回転不能な状態で水栓本体１２に接続されている。
【００２６】
抜止部材５６は、平面形状が円形をなすプレート状の支持部５８と、その外周部の３箇所から外向きに突出した弾性を有する掛止突部６０とを有している。
支持部５８には、これを板厚方向に貫通する一対の保持孔６２が設けられており、そこに一対のサプライ管１６のそれぞれが挿通状態に保持されている。
ここで各保持孔６２は、それぞれが支持部５８の外周面で開口するＵ字状の切欠形状とされている。
【００２７】
上記掛止突部６０は、図４（Ａ），図６（Ｂ）に示しているようにくの字状に突曲しており、抜止部材５６はこれら掛止突部６０を水栓本体１８の内周面に形成した環状の掛止凹部６４に弾性的に掛止させることによって、水栓本体１８に固定され抜止めされる。
【００２８】
この掛止突部６０は、図６（Ｂ）の部分拡大図に示しているように互いに逆向きをなす傾斜形状のカム面６８，７０を有しており、抜止部材５６を水栓本体１８に固定し、また取り外す際にそれらカム面６８，７０の作用で円滑にこれをなし得るようになっている。
【００２９】
本実施形態において、抜止部材５６には各掛止突部６０の先端側に、それら掛止突部６０から更に折れ曲がって延びる解除操作部６６が各掛止突部６０に一体に形成されている。
これら解除操作部６６は、掛止凹部６４に対する掛止突部６０の掛止を解除するための操作力を加える部分である。
【００３０】
次に本実施形態の作用を説明する。
この例の接続構造では、図５に示しているように抜止部材５６のＵ字切欠形状の保持孔６２に対して、一対のサプライ管１６のそれぞれを側方から挿入して保持孔６２を上下方向に挿通状態とし、その状態でサプライ管１６の嵌入部４４を水栓本体１８の嵌入孔４２に挿入するとともに、抜止部材５６を水栓本体１８に対して上向きに押し込む。
【００３１】
このとき３つの掛止突部６０がカム面６８の案内の下に一旦内方に弾性変形した後、掛止凹部６４に対向する位置に到ったところで再び弾性力で外方に広がって、それぞれが掛止凹部６４に対し軸方向、即ち上下方向に掛止した状態となる。
ここにおいて抜止部材５６が水栓本体１８に固定された状態となり、かかる抜止部材５６によって一対のサプライ管１６のそれぞれが水栓本体１８から抜止めされる。
【００３２】
このとき一対のサプライ管１６は、図４（Ａ）に示しているようにそれぞれのフランジ部４６の下面が抜止部材５６の支持部５８によって下側から支持された状態、即ち鍔部４６が嵌入部４４とは反対側で支持された状態となり、水栓本体１８に対して抜止状態に固定される。
ここにおいて一対のサプライ管１６が水栓本体１８に対し水密に接続された状態となる。
【００３３】
また水栓本体１８に接続された一対のサプライ管１６のそれぞれは、各鍔部４６に形成されたストレート面状の係合面５４の係合作用によって互いに回転方向に拘束され、回転不能な状態となる。
【００３４】
本実施形態では、水栓本体１８に固定した抜止部材５６を容易に水栓本体１８から取り外すことができる。
具体的には、解除操作部６６に対して内向きの力を加えることで、掛止突部６０のそれぞれを強制的に内向きに弾性変形させ、掛止凹部６４に対する掛止を解除することができる。
そして掛止を解除した状態で抜止部材５６全体を、水栓本体１８から下向きに取り出すことができる。
【００３５】
このとき、掛止突部６０は下側のカム面７０の作用で円滑に掛止凹部６４から下向きに抜き出される。
このようにして抜止部材５６を水栓本体１８から取り外した後、水栓本体１８に接続状態の一対のサプライ管１６を下向きに引くことで、容易に一対のサプライ管１６を水栓本体１８から抜き出すことができる。
【００３６】
以上のように本実施形態の接続構造では、各フランジ部４６の係合面５４の係合作用によって、一対のサプライ管１６のそれぞれが互いに回転防止される。
従って本実施形態によれば、水栓器具１２の設置状態において水栓器具１２から外部に延び出したサプライ管１６に対し、何らかの回転方向の力が働いた結果、サプライ管１６が水栓器具１２に対して回転してしまうといったことがなく、従って使用者に対しサプライ管１６が回転することによって何らかの不具合が生じているのではないかといった危惧を抱かせる心配もない。
【００３７】
またサプライ管１６が回転することによってＯリング５０が摩耗し、これによってシール性が低下するといった問題も生じず、安定したシール機能を長期に亘って良好に保持することができる。
【００３８】
また本例の接続構造では、一対のサプライ管１６同士が互いの回転運動を阻止する回止め部材として働いていることから、サプライ管１６と水栓器具１２との間に回止め機構を設ける必要がなく、サプライ管１６の回止めのための構造が簡単で、組付けの際にもサプライ管１６を水栓器具１２に対し回止めのために位置決め及び係合させて組み付けるといったことを必要とせず、組付けの手間も簡単である。
【００３９】
以上本発明の実施形態を詳述したがこれはあくまで一例示である。
例えば上記例示した接続構造はあくまで一例であって、本発明は、一対のサプライ管の嵌入部を水栓器具の嵌入孔に嵌入させた状態で、水栓器具に固定した抜止部材によってサプライ管のフランジ部を支持し、以ってサプライ管を水栓器具に対し抜止状態に接続するようになした他の各種接続構造に対して適用することが可能であるなど、本発明はその趣旨を逸脱しない範囲において種々変更を加えた形態で構成可能である。
【図面の簡単な説明】
【００４０】
【図１】本発明の適用対象である水栓器具の一例を示す正面図である。
【図２】図１の水栓器具の一部切欠側面図である。
【図３】図１の水栓器具を設置前の状態で示す一部切欠側面図である。
【図４】本発明の一実施形態のサプライ管の接続構造を、サプライ管接続状態で示す図である。
【図５】同実施形態の接続構造をサプライ管接続前の状態で示す分解斜視図である。
【図６】同実施形態の接続構造における抜止部材の単品図である。
【図７】従来のサプライ管の接続構造の一例を示す図である。
【符号の説明】
【００４１】
１２  水栓器具
１６  サプライ管
４２  嵌入孔
４４  嵌入部
４６  フランジ部
５４  係合面
５６  抜止部材
【図１】
2005140245.tif 000003
【図２】
2005140245.tif 000004
【図３】
2005140245.tif 000005
【図４】
2005140245.tif 000006
【図５】
2005140245.tif 000007
【図６】
2005140245.tif 000008
【図７】
2005140245.tif 000009